(57)【要約】【課題】  組み立て作業が容易に行える長靴形包装容器を提供する。【解決手段】  開口部１ａよりやや小径な外径を有する円板状の中底１ｂが開口部を塞ぐように設けられた容器本体１と、中底の外周部に形成された複数の凹部１ｃと、中底の外周部より開口部の内周面に向かって突設された複数の突起１ｄと、凹部と対向する開口部の内周面に突設された複数の係止突起１ｆと、下端部が容器本体の開口部の内径より小さく、かつ中底の外径より大きい円形に形成された円筒状の収容部材２と、収容部材の下端部を前記開口部に上方より挿入した際、係止突起と係合するよう収容部材の下端部に形成された係止孔２ａとからなり、係止孔を係止突起に係合することにより、容器本体と収容部材を一体化することができるため、組み立て作業が容易に行える。【選択図】図２
2011173647.tif 000002
【特許請求の範囲】
【請求項１】
短靴状に形成され、かつ上部に開口部を有する容器本体と、前記開口部に接続された筒状の収容部材とからなる長靴形包装容器であって、前記開口部よりやや小径な外径を有する円板状の中底が前記開口部を塞ぐように設けられた容器本体と、前記中底の外周部に形成された複数の凹部と、前記中底の外周部より前記開口部の内周面に向かって突設された複数の突起と、前記凹部と対向する開口部の内周面に突設された複数の係止突起と、下端部が前記容器本体の開口部の内径より小さく、かつ前記中底の外径より大きい円形に形成された円筒状の収容部材と、前記収容部材の下端部を前記開口部に上方より挿入した際、前記係止突起と係合するよう前記収容部材の下端部に形成された係止孔とを具備したことを特徴とする長靴形包装容器。
【発明の詳細な説明】
【技術分野】
【０００１】  本発明は、菓子や玩具等を包装して、クリスマスの時期に子供のプレゼント用として販売する長靴形包装容器に関する。
【背景技術】
【０００２】  クリスマスの時期に菓子や玩具等の内容物を包装して子供のプレゼント用として販売する長靴形包装容器には、従来では例えば図５に示すように、内容物の収容部材が一体化されたものや、特許文献１に記載されたもの等がある。【００１８】  図５に示す長靴形包装容器は、図４に示すように短靴状の容器本体ａと内容物の収容部材ｂを予め別々に製作し、収容部材ｂの下端側に形成した帯状の連結部ｃを容器本体ａの底に巻き付けるようにして接着することにより、図５に示すように容器本体ａと収容部材ｂを一体化している。【０００３】  また特許文献１に記載の靴形包装容器は、足を包む部分に相当する本体に内容物を収容する筒状部が何れも紙で成形されていて、筒状部の下端を本体部の上部に接着固定することにより、本体部と筒状部が一体化されており、筒状部の上端部にさらに上部材が接着されている。【００１８】  いずれの長靴形包装容器もクリスマスの時期になると店頭に陳列されて、子供のプレゼント用として販売されるが、嗜好に富む外観であることから、季節限定商品として長年に渡って販売が続けられている。
【先行技術文献】
【特許文献】
【０００４】
【特許文献１】  実用新案登録第３０７９７３９号公報
【発明の概要】
【発明が解決しようとする課題】
【０００５】  しかし図５に示す長靴形包装容器や、特許文献１に示す靴形包装容器には、次のような問題がある。【００１８】  すなわち図５に示す長靴形包装容器は、短靴状の容器本体ａと内容物の収容部材ｂを予め別々に製作し、収容部材ｂの下端側に形成した帯状の連結部ｃを容器本体ａに巻き付けるようにして接着しているため、帯状の連結部ｃを容器本体ａに巻き付けて接着する作業に手間がかかったり、帯状の連結部ｃに接着部を設けるため、製品がコスト高になる問題がある。【００１８】  また特許文献１に記載の靴形包装容器は、足を包む部分に相当する本体と内容物を収容する筒状部を別体製作して、筒状部の上端部に上部材を接着一体化するため、図４及び図５に示す従来の長靴形包装容器と同様に、筒状部の上端部と上部材を接着するのに手間がかかり、製品がコスト高になる問題がある。【０００６】  しかも何れの長靴形包装容器も、容器本体と収容部材とが予め接着により一体化されているため、菓子や玩具等を収容する収容部材の収容量を販売する値段に応じて変えたい場合に、収容部材の大きさを簡単に変更することができない。【００１８】  このため収容量の異なる収容部材を備えた長靴形包装容器を複数種類製作しなければならず、製品がコスト高になる問題もある。【００１８】  本発明はかかる問題を改善するためになされたもので、組み立てが容易で、かつ収容部材の大きさを簡単に変えることができる長靴形包装容器を提供することを目的とするものである。
【課題を解決するための手段】
【０００７】  本発明の長靴形包装容器は、短靴状に形成され、かつ上部に開口部を有する容器本体と、前記開口部に接続された筒状の収容部材とからなる長靴形包装容器であって、前記開口部よりやや小径な外径を有する円板状の中底が前記開口部を塞ぐように設けられた容器本体と、前記中底の外周部に形成された複数の凹部と、前記中底の外周部より前記開口部の内周面に向かって突設された複数の突起と、前記凹部と対向する開口部の内周面に突設された複数の係止突起と、下端部が前記容器本体の開口部の内径より小さく、かつ前記中底の外径より大きい円形に形成された円筒状の収容部材と、前記収容部材の下端部を前記開口部に上方より挿入した際、前記係止突起と係合するよう前記収容部材の下端部に形成された係止孔とから構成したものである。【０００８】  前記構成により、収容部材の下端部に形成された係止孔を開口部の内周面に形成された係止突起に係合することにより、容器本体と収容部材を一体化することができるため、従来の接着により一体化するものに比べて両者の組み立て作業が容易かつ短時間で行える。【００１８】  また一旦収容部材の下端部に形成された係止孔が係止突起に係合すると、中底の外周面に突設された複数の突起が収容部材の下端側を外側へ押し広げるので、収容部材に収容した内容物の重量が容器本体に加わっても、収容部材より容器本体が離脱して落下することがない。【００１８】  さらに凹部より差し込んだ指先で係止孔の下方を内側へ引くことにより、係止突起より係止孔を簡単に外すことができるので、収容部材を別の大きさのものと簡単に変えることができ、販売価格に応じて収容部材の大きさを変える等の作業が容易かつ短時間で行えるようになる。
【発明の効果】
【０００９】  本発明の長靴形包装容器よれば、収容部材の下端部に形成された係止孔を開口部の内周面に形成された係止突起に係合することにより、容器本体と収容部材を一体化することができるため、従来の接着により一体化するものに比べて両者の組み立て作業が容易かつ短時間で行える上、係止突起より係止孔を簡単に外すことができるので、収容部材を別の大きさのものと簡単に変えることができ、販売価格に応じて収容部材の大きさを変える等の作業が容易かつ短時間で行えるようになる。
【図面の簡単な説明】
【００１０】
【図１】  本発明の実施の形態になる長靴形包装容器を示す斜視図である。
【図２】  本発明の実施の形態になる長靴形包装容器を示す分解斜視図である。
【図３】  本発明の実施の形態になる長靴形包装容器の容器本体を示す平面図である。
【図４】  従来の長靴形包装容器の分解斜視図である。
【図５】  従来の長靴形包装容器の組み立て状態の斜視図である。
【発明を実施するための形態】
【００１１】  本発明の実施の形態を、図面を参照して詳述する。
【００１８】  図１に示す長靴形包装容器は、全体が樹脂により一体成形された容器本体１と、容器本体１に係着された収容部材２とからなる。
【００１８】  容器本体１は短靴状に形成されていて、上部に円形状の開口部１ａが開口されており、容器本体１の表面は例えば銀色に着色されている。
【００１８】  容器本体１の開口部１ａには、開口部１ａを塞ぐように中底１ｂが容器本体１ａと一体に成形されている。
【００１８】  中底１ｂの外径は開口部１ａの内径よりやや小径となっていて、容器本体１の前と両側に位置する外周部の３個所に凹部１ｃが形成されており、各凹部１ｃを除く中底１ｂの外周部には、複数の突起１ｄが円周方向に間隔を存して突設されている。
【００１２】  各突起１ｄは開口部１ａの内周面に向かって水平に突設されていて、突起１ｄの先端と開口部１ａの内周面の間には、収容部材２を形成する素材の肉厚よりやや大きい隙間１ｅが設けられている。
【００１８】  また各凹部１ｂと対向する開口部１ａの内周面には、係止突起１ｆが各凹部１ｂ毎に突設されている。
【００１８】  これら係止突起１ｆは、収容部材２の下端部に形成された後述する係止孔２ａと係合するようほぼ鉤形に形成されていて、容器本体１と収容部材２を係着一体化するようになっている。
【００１３】  一方収容部材２は、長靴の胴部となるよう下端側から上端側へ漸次径が大きくなるほぼ円筒形に形成されており、全体が厚紙や樹脂、もしくは不織布等の素材により製作されている。
【００１８】  収容部材２の下端側は、容器本体１の開口部１ａの内径より僅かに小さい円形に形成されていて、開口部１ａの内周面と中底１ｂの外周面に突設された突起１ｄの先端との間に形成された隙間１ｅに上方より収容部材２の下端部を挿入した際、開口部１ａの内周面に突設された係止突起１ｆと係合する位置に、円周方向に細長い長孔よりなる係止孔２ａがそれぞれ形成されている。
【００１８】  収容部材２の表面は、容器本体１の表面と同色の例えば銀色に着色されており、その上にさらにサンタクロースやトナカイ、リボン等のクリスマス用装飾（図示せず）が施されている。
【００１４】  また収容部材２の上端側は、菓子や玩具等の収容物（図示せず）を収容するための開口部２ｂが設けられていて、この開口部２ｂは、ネット等により形成されたカバー３が接着等の手段で取り付けられている。
【００１８】  カバー３の上部は開口されていて、この開口部に吊り紐４が取り付けられており、吊り紐４を緩めるとカバー３の開口部が開放し、吊り紐４を絞るとカバー３の開口部が閉じるようになっている。
【００１５】  次に前記構成の長靴形包装容器の作用を説明すると、容器本体１と収容部材２とは別体に製作し、製作後一体化する。
【００１８】  すなわち樹脂により成形した容器本体１の開口部１ａに、筒状に形成した収容部材２の下端側を挿入し、収容部材２の下端部に形成された係止孔２ａを開口部１ａの内周面に形成された係止突起１ｆに係合して両者を一体化する。
【００１８】  このとき収容部材２の上部開口部２ａより収容部材２内に手を挿入して、指を中底１ｂの凹部１ｃに差し込み、指先で係止孔２ａの周囲を外側へ押し出すようにすることにより、係止孔２ａを容易かつ確実に係止突起１ｆへ係合させることができるようになる。
【００１６】  また一旦収容部材２の下端部に形成された係止孔２ａが開口部１ａの内周面に形成された係止突起１ｆに係合すると、中底１ｂの外周面に突設された複数の突起１ｄが収容部材２の下端側を外側へ押し広げるので、収容部材に収容した内容物の重量が容器本体に加わっても、収容部材２より容器本体１が離脱して落下することがない。
【００１８】  次に長靴形包装容器をクリスマスプレゼント用として販売する場合は、収容部材２の上部開口部２ｂに設けられたカバー３を開放して、開口部２ｂより収容部材２内に菓子や玩具等の内容物を収容する。
【００１８】  そして所定の量の内容物を収容部材２に収容したら、開口部２ｂに取り付けられたカバー３の開口部を吊り紐４を絞ることにより閉じて、クリスマスのプレゼント用として店頭販売するもので、趣向に富む外観をしているため、クリスマス時期に好適な包装容器となる。
【００１７】  また予め容器本体１と一体化された収容部材２を、容量の異なるものと交換する場合は、収容部材２の上部開口部２ｂより収容部材２内に挿入した手の指を中底１ｂの凹部１ｃに差し込み、指先で係止孔２ａの下方を内側へ引くことにより、係止突起１ｆより係止孔２ａを簡単に外すことができるので、収容部材２を別の大きさのものと簡単に変えることができ、販売価格に応じて収容部材２の大きさを変える等の作業が容易かつ短時間で行えるようになる。
【符号の説明】
【００１８】１      容器本体
１ａ    開口部
１ｂ    中底
１ｃ    凹部
１ｄ    突起
１ｆ    係止突起
２      収容部材
２ａ    係止孔
【図１】
2011173647.tif 000003
【図２】
2011173647.tif 000004
【図３】
2011173647.tif 000005
【図４】
2011173647.tif 000006
【図５】
2011173647.tif 000007